(57)【要約】【課題】  従来の調理用焼き網は枠線などに溶接するなどしているため形状が固定的であり携帯に適さない。また、格子状になっており、金属線が交差する部分の洗浄が困難であり、衛生的に繰り返し使用することが困難である。【解決手段】本体網部分を、弾性を有する金属線で波型に成形した波バネと、使用時に波バネを固定するフレームとで構成することにより、形状変形が可能な調理用焼き網を発明した。使用時には、波バネを伸ばした状態で、フレームで固定することにより平板な形状を保持し、収納時には波バネからフレームを外し、本体網を押し縮め束ねてハンドルに収納することで、コンパクトな棒状の形状を保持するため、収納性及び携帯性が格段に向上する。また、金属線が交差する部分を含まないため洗浄が容易で衛生的に繰り返し使用することができる。【選択図】図１
2019069123.tif 000002
【特許請求の範囲】
【請求項１】
弾性を有する金属線を直線と半円形とに折り返すことを繰り返して波型に成形した波バネと、使用時に波バネの半円形に折り返した部分を差し込んで固定するポケットを有するフレームとを備える調理用焼き網。
【請求項２】
前記フレームは、その端部が、前記波バネの端部に回動自在に軸支されている、請求項１に記載の調理用焼き網。
【請求項３】
前記波バネを押し縮め束ねた状態で、前記フレームと共に、空洞内に保持する一軸方向に延在する枠体であって、一端部とそれに近い部位とに切り欠きを有することによって、展開し固定された波バネを挟み込み、ハンドルを使用することを可能にする枠体をさらに備える、請求項１又は２に記載の調理用焼き網。
【発明の詳細な説明】
【技術分野】
【０００１】  本発明は、形状変形する構造を有し、コンパクトに収納できる携帯性に優れた調理用焼き網に関する。
【背景技術】
【０００２】  従来の調理用焼き網は形状が固定的なために収納や携帯に適さない。また、格子状になっており、金属線が交差する部分の洗浄が困難である。【０００３】  その理由として、形状を保つために格子状金属網などを金属枠などに溶接するなどして固定していることが挙げられる。
【発明の概要】
【発明が解決しようとする課題】
【０００４】  以上に述べた従来の調理用焼き網では、形状が平板に固定されているため、携帯に適さない。また、格子状の金属線が交差する部分の洗浄が困難であり、繰り返し使用する場合に衛生面に課題が残る。【０００５】  本発明の調理用焼き網は、形状変形が可能な構造とすることで、屋外での使用などで求められる収納性や携帯性を備えることを目的とする。また、本発明の調理用焼き網は格子状部分を含まないため、洗浄が容易である。
【課題を解決するための手段】
【０００６】  弾性を有する金属線を直線と半円形とに折り返すことを繰り返して波型の構造を形成した波バネとフレームとで本体網を構成する。波バネの両端は全体の対角に位置し、両端のそれぞれに波バネに平行して回転するフレームが連結されている。フレームには波バネの半円形に折り返した部分を差し込むポケットが備えられており、使用時にはフレームを波バネの直線部分に対して垂直になる位置まで回転させ波バネの半円形部をポケットに差し込むことで、波バネが伸縮しないように固定すると同時に食材を載せることができる強度を確保する。【０００７】  本体に、両端開口部を有する筒状のハンドルを固定する。これにより、調理中に焼き網が安定するように保持すること、及び、食材を取り出さずに焼き網ごと移動させることが容易になる。【０００８】  収納時にはハンドルを本体網から取り外し、フレームのポケットから波バネの半円形に折り返した部分を外すことで再び伸縮性が得られ、コンパクトに押し縮め束ねることができる。【０００９】  押し縮め束ねた本体網はハンドルの開口部から、ハンドルに差し込み収納する。これにより波バネの復元力が作用して本体網が広がるのを防ぎ、携帯性に優れた、細い棒状の形状を保持する。
【発明の効果】
【００１０】  本発明の調理用焼き網は、本体網に伸縮機構を備えることで形状変形することを可能とし、また、取り外したハンドル内に本体網を収納することで、コンパクトに形状変形した状態で優れた携帯性を発揮する。また、焼き面に交差部分を含まないため洗浄が容易で、衛生的に繰り返し使用することができる。
【図面の簡単な説明】
【００１１】
【図１】本体網
【図２】ハンドル
【図３】ハンドルが側面に開放部分を有する場合の形状例
【図４】本体網にハンドルを取り付ける場合の外観図
【図５】本体網を収納する場合のフレームの回転方向及び波バネの押し縮め束ねる方向
【図６】押し縮め束ねた本体のハンドルへの収納方向
【発明を実施するための形態】
【００１２】  弾性を有する金属線を、直線部分１Ａと半円形に１８０°折り返すことを交互に数回繰り返して波型の構造を形成した波バネ１を焼き網の焼き面とし、波バネと波バネに回動自在に軸支されたフレーム２とで本体網を構成する。
【００１３】  波バネの金属線の両端１Ｃは、波バネの対角に位置し、両端１Ｃのそれぞれに波バネに平行して回転するフレーム２が軸支されている。本体部分の両端１Ｃは円形に成形されており、その円形に回転軸を通してフレーム端部の連結穴２Ｂと連結することにより、フレーム２はフレーム端部２Ｂの穴を軸にして波バネ１と平行に回転させることができる。
【００１４】  フレーム２には波バネ１の半円形の折り返し部１Ｂを差し込むポケット２Ａが備えられており、使用時にはフレーム２を波バネの直線部１Ａに対して垂直になる位置まで回転させながら波バネ１の半円形の折り返し部１Ｂをポケット２Ａに差し込む２Ｃことで、波バネ１が伸縮しないように固定すると同時に食材を載せることができる強度を確保する。
【００１５】  ハンドル３は両端に開口部を有する筒状になっており、開口部片側に第一切り欠き部３Ａと第二切り欠き部３Ｂを有する。第一切り欠き部３Ａは、波バネ１の線径よりもやや幅広い幅で、波バネの直線部の間隔１Ｄの約半分の長さになっており、ハンドルの両側面に平行に、開口部から開口部断面に対して垂直に位置している。  第二切り欠き部３Ｂは、ハンドル３下面より上方に切り上げた後、第一切り欠き部３Ａと同じ高さになるところから第一切り欠き部３Ａに向かって水平に切り欠いている。
【００１６】  本体網にハンドル３を取り付ける場合には、第一切り欠き部３Ａを、波バネ直線部１Ａの端から２本目中央部に差し込み、波バネ直線部１Ａの端から１本目中央部を開きながら１Ｅ、第二切り欠き部３Ｂに波バネ直線部１Ａが嵌るように、第一切り欠き部３Ａを支点にして、ハンドルを押し下げる３Ｄ。第一切り欠き部３Ａと第二切り欠き部３Ｂの終点の距離３Ｃは、波バネ直線部の間隔１Ｄよりも広くなっている。そのため、ハンドル３を本体網に取り付けた際には、波バネ１の復元力が作用し、第二切り欠き部３Ｂの突起部分を容易には超えることがなく、ハンドル３と波バネ１は容易には外れない。
【００１７】  収納時には、ハンドル３を本体網から取り付ける時と逆の手順で外した後、フレーム２のポケット２Ａから波バネ１の半円形に折り返した部分１Ｂを外すことで、再び伸縮性が得られる。フレーム２を波バネの直線部１Ａに平行になる位置まで回転させ、本体網全体を前後にひねりながら左右から中心部に向かって１Ｆ力を加えると、コンパクトに押し縮め束ねることができる。
【００１８】  押し縮め束ねた本体網はハンドル３の開口部から、ハンドル３に差し込み１Ｇ収納する。この時、ハンドル内側には、押し縮め束ねた波バネ１の外側に開こうとする復元力が作用するため、本体網がハンドル３から自重で抜け落ちることがなく、取り扱いも容易で携帯性に優れた状態になる。
【００１９】  ハンドルの形状については、両端開口部を有する筒状が好ましいが、押し縮め束ねた本体網を内包した場合に、波バネの復元力に対して形状を保持する強度を確保でき、かつ、開放部分の幅４Ａが、波バネの復元力が作用した場合に、意図せずに飛び出さない程度の幅であれば、ハンドル側面の一部が開放となった形状４でも使用可能である。
【符号の説明】
【００２０】１    波バネ
１Ａ  波バネの直線部
１Ｂ  波バネの半円形に折り返した部分
１Ｃ  波バネの両端部
１Ｄ  波バネの直線部の間隔
１Ｅ  本体にハンドルを取り付ける時に波バネ直線部を引っ張る方向
１Ｆ  波バネを押し縮め束ねる方向
１Ｇ  押し縮め束ねた本体網をハンドルに収納する方向
２    フレーム
２Ａ  フレームのポケット
２Ｂ  フレーム端部の連結穴
２Ｃ  波バネの半円形に折り返した部分をフレームのポケットに差し込む方向
２Ｄ  収納時のフレームの回転方向
３    ハンドル
３Ａ  第一切り欠き部
３Ｂ  第二切り欠き部
３Ｃ  第一切り欠き部終点と第二切り欠き部終点との距離
３Ｄ  ハンドルを本体に取り付ける時に押し下げる方向
４    ハンドルが側面に開放部分を有する場合の形状例
４Ａ  ハンドルが開放部分を有する場合の開放部の幅
【図１】
2019069123.tif 000003
【図２】
2019069123.tif 000004
【図３】
2019069123.tif 000005
【図４】
2019069123.tif 000006
【図５】
2019069123.tif 000007
【図６】
2019069123.tif 000008